(57)【要約】【課題】簡単に開封することができる段ボール箱を提供する。【解決手段】両短側面６は、天面２に連なる一対の上方外フラップ１７と、両長側面３，５にそれぞれ連なる一対の内フラップ１８，２０と、底面４に連なる一対の下方外フラップ１９とから構成され、天面２に該天面２を横断する天面破断線２１が備えられ、上方外フラップ１７に、該上方外フラップ１７を縦断する上方外フラップ破断線２４が備えられ、天面破断線２１及び上方外フラップ破断線２４は、天面２と上方外フラップ１７との稜において段ボールシートを貫通する切込線によって連ねられており、長側面３に該長側面３を横断する長側面破断線２２が備えられている。【選択図】図２
2018177373.tif 000002
【特許請求の範囲】
【請求項１】
段ボールシートから構成された天面、底面、一対の長側面及び一対の短側面とを備えた段ボール箱であって、
前記両短側面は、前記天面に連なる一対の上方外フラップと、前記両長側面にそれぞれ連なる一対の内フラップと、前記底面に連なる一対の下方外フラップとから構成され、
前記天面に該天面を横断する天面破断線が備えられ、
前記上方外フラップに、該上方外フラップを縦断する上方外フラップ破断線が備えられ、
前記天面破断線及び前記上方外フラップ破断線は、前記天面と前記上方外フラップとの稜において切込線によって連ねられており、
前記長側面に該長側面を横断する長側面破断線が備えられている段ボール箱。
【請求項２】
前記切込線は、前記天面における部分が前記天面破断線の配置方向に沿い、前記上方外フラップにおける部分が前記上方外フラップ破断線に沿うように備えられている請求項１に記載の段ボール箱。
【請求項３】
前記切込線は、前記段ボールシートを貫通する全切り線から構成されている請求項１又は２に記載の段ボール箱。
【請求項４】
前記長側面破断線は、前記下方外フラップの上縁より高い位置に備えられている請求項１から３のいずれか一項に記載の段ボール箱。
【請求項５】
前記内フラップに、前記長側面破断線と連なり、かつ、該内フラップを横断する内フラップ破断線が備えられている請求項１から４のいずれか一項に記載の段ボール箱。
【請求項６】
前記内フラップ破断線は、前記短側面において前記内フラップどうしが向かい合う縁において、前記下方外フラップの上縁と重なる位置の近傍に、破断誘導端が備えられている請求項５に記載の段ボール箱。
【請求項７】
前記内フラップ破断線は、前記破断誘導端からまず下へ走り、その後上へ走り、前記長側面破断線に合流する請求項６に記載の段ボール箱。
【請求項８】
前記天面破断線は、前記天面を二等分する位置に備えられている請求項１から７のいずれか一項に記載の段ボール箱。
【請求項９】
前記上方外フラップ破断線は、少なくともその終端が、前記短側面において前記内フラップどうしが向かい合う縁と重なる位置どうしの間に備えられている請求項１から８のいずれか一項に記載の段ボール箱。
【請求項１０】
前記上方外フラップ破断線は、前記内フラップ側へ傾斜する請求項９に記載の段ボール箱。
【請求項１１】
前記天面破断線は、前記天面に斜めに配置されている請求項８に記載の段ボール箱。
【請求項１２】
前記破断誘導端は、切欠きから構成されている請求項６又は７に記載の段ボール箱。
【請求項１３】
前記短側面において前記上方外フラップと前記下方外フラップとは離間しており、前記内フラップどうしは離間している請求項１から１２のいずれか一項に記載の段ボール箱。
【発明の詳細な説明】
【技術分野】
【０００１】
本発明は、段ボールシートから構成された天面、底面、一対の長側面及び一対の短側面とを備えた段ボール箱に関する。
【背景技術】
【０００２】
特許文献１に示すように、缶やＰＥＴボトルのような容器入り飲料製品等の梱包用箱として、表ライナと裏ライナとの間に波形に成形された中芯を挟んで構成される段ボールシートから構成されている段ボール箱が広く使用されている。
【０００３】
この段ボール箱は、天面、底面、一対の長側面及び一対の短側面のうち、一対の長側面及び一対の短側面に、一対の長側面及び一対の短側面の高さ方向中央となる部分に引裂帯が備えられ、一対の長側面に、一対の長側面の幅方向中央において引裂帯における引き裂きの基端となるＨ字状の切込部が備えられている。
【０００４】
この段ボール箱は、メーカーから出荷、配送の際には梱包用の箱として使用され、酒屋やスーパーマーケット等の店頭では、陳列ができるように段ボール箱をハーフカットしたトレイ形式にすることが求められている。トレイ形式にする際に、切込部に指先を入れ、両側に向けて引っ張ることによって引裂帯において段ボールシートが切り裂かれ、最終的に上下に分割、すなわち開封され、上側の部分は取り外され、下側の部分はそのまま容器入り飲料製品の陳列販売用のトレイとして使用される。
【先行技術文献】
【特許文献】
【０００５】
【特許文献１】特開２０１２−２２９０６１号公報
【発明の概要】
【発明が解決しようとする課題】
【０００６】
しかし、従来の段ボール箱は、開封する際に、切込部に指を入れ、引裂帯の端部を把持し、手を段ボール箱の一対の長側面及び一対の短側面の全周にわたり移動させる必要があり、開封に作業時間を要していた。
【０００７】
また、特に短側面においては、段ボールシートがうまく破断されない等、開封性が悪いという問題もあった。
【０００８】
本発明は、上述したような問題点を解決するためのものであり、簡単に開封することができる段ボール箱を提供することを目的としている。
【課題を解決するための手段】
【０００９】
上述の目的を達成するための、本発明に係る段ボール箱の特徴構成は、段ボールシートから構成された天面、底面、一対の長側面及び一対の短側面とを備えた段ボール箱であって、前記両短側面は、前記天面に連なる一対の上方外フラップと、前記両長側面にそれぞれ連なる一対の内フラップと、前記底面に連なる一対の下方外フラップとから構成され、前記天面に該天面を横断する天面破断線が備えられ、前記上方外フラップに、該上方外フラップを縦断する上方外フラップ破断線が備えられ、前記天面破断線及び前記上方外フラップ破断線は、前記天面と前記上方外フラップとの稜において切込線によって連ねられており、前記長側面に該長側面を横断する長側面破断線が備えられている点にある。
【００１０】
上述の構成によると、開封の際には、まず天面破断線を破断させることにより天面を前後に切り開き、次いで天面破断線に連なる上方外フラップ破断線を破断させることにより、上方外フラップを前後に切り開くことができる。そして、長側面が破断され、一対の長側面が上下に切り開かれる。このように、各破断線を破断させることにより、陳列販売用のトレイが形成される。
【００１１】
天面破断線及び上方外フラップ破断線は、少なくとも天面と上方外フラップとの稜において切込線によって連ねられていることから、天面破断線の破断が上方外フラップ破断線の破断へと案内される。なお、切込線は、段ボールシートを構成する表ライナ、中芯、及び裏ライナがすべて切断された全切り線や、裏ライナと、中芯の少なくとも裏ライナ側とは切断されるが、表ライナは切断されていない半切り線であってもよいし、裏ライナは切断されるが、中芯及び表ライナは切断されていない、いわゆるライナーカットであってもよい。
【００１２】
本発明においては、前記切込線は、前記天面における部分が前記天面破断線の配置方向に沿い、前記上方外フラップにおける部分が前記上方外フラップ破断線に沿うように備えられていると好適である。
【００１３】
切込線が、天面破断線と上方外フラップ破断線とを結ぶように配置されることによって天面破断線の破断が上方外フラップ破断線の破断へと案内される。
【００１４】
本発明においては、前記切込線は、前記段ボールシートを貫通する全切り線から構成されていると好適である。
【００１５】
天面破断線及び上方外フラップ破断線は、少なくとも天面と上方外フラップとの稜において段ボールシートを貫通する全切り線によって連ねられていると、天面破断線の破断が上方外フラップ破断線の破断へと円滑に案内される
【００１６】
本発明においては、前記長側面破断線は、前記下方外フラップの上縁より高い位置に備えられていると好適である。
【００１７】
上述の構成によると、長側面は、下方外フラップの上縁より高い位置に備えられた長側面破断線において破断されるため、トレイとしての強度が担保される。
【００１８】
本発明においては、前記内フラップに、前記長側面破断線と連なり、かつ、該内フラップを横断する内フラップ破断線が備えられていると好適である。
【００１９】
上述の構成によると、天面及び上方外フラップを切り開くときの動作によって内フラップ破断線が破断され、内フラップは、上下に切り開かれる。
【００２０】
本発明においては、前記内フラップ破断線は、前記短側面において前記内フラップどうしが向かい合う縁において、前記下方外フラップの上縁と重なる位置の近傍に、破断誘導端が備えられていると好適である。
【００２１】
内フラップ破断線は、天面及び上方外フラップを前後に切り開くときの動作による力が内フラップ破断線の破断に対する抵抗を上回ったときに破断される。この力のモーメントは、天面から遠くなれば大きくなるのであるが、内フラップ破断線が、天面に近い位置に備えられた場合には、前記力によって内フラップ破断線を破断させるよりも先に、内フラップと下方外フラップとの接合を剥離させる虞がある。このような虞を低減させることができる位置及びトレイとしての強度を担保できる位置として、破断誘導端を、下方外フラップの上縁の近傍、好ましくは同じ高さに備えるのである。
【００２２】
本発明においては、前記内フラップ破断線は、前記破断誘導端からまず下へ走り、その後上へ走り、前記長側面破断線に合流すると好適である。
【００２３】
上述の構成によると、開封性が向上する。
【００２４】
本発明においては、前記天面破断線は、前記天面を二等分する位置に備えられていると好適である。
【００２５】
上述の構成によると、天面は、天面破断線により二等分に破断される。その際、天面を一方と他方とに破断する力が均等にかかり、両方がきれいに破断される。いずれかのみが破断される虞が低減される。
【００２６】
本発明においては、前記上方外フラップ破断線は、少なくともその終端が、前記短側面において前記内フラップどうしが向かい合う縁と重なる位置どうしの間に備えられていると好適である。
【００２７】
上述の構成によると、上方外フラップ破断線は、内フラップと重ならない位置に備えられるため、上方外フラップと内フラップとを接合した箇所を避けて配置することができる。
【００２８】
本発明においては、前記上方外フラップ破断線は、前記内フラップ側へ傾斜すると好適である。
【００２９】
上述の構成によると、開封性が向上する。
【００３０】
本発明においては、前記天面破断線は、前記天面に斜めに配置されていると好適である。
【００３１】
上述の構成によると、上方外フラップの幅方向中央に取手部を設けた際に、上方外フラップ破断線が取手部を避けることができるため、取手部における強度の低下の虞もない。
【００３２】
本発明においては、前記破断誘導端は、切欠きから構成されていると好適である。
【００３３】
上述の構成によると、内フラップ破断線を弱い力であっても容易に破断させ始めることができる。内フラップ破断線の破断に必要な力を低減することができるため、前方内フラップ及び後方内フラップと下方外フラップとの接合が剥離してしまう虞が低減される。
【００３４】
本発明においては、前記短側面において前記上方外フラップと前記下方外フラップとは離間しており、前記内フラップどうしは離間していると好適である。
【００３５】
本発明は、内フラップと下方外フラップとの接合が剥離してしまう虞をより低減するためにも、ショートフラップで実施することが好ましい。
【図面の簡単な説明】
【００３６】
【図１】本発明の第一実施形態に係る段ボール箱を構成するボックスブランクの説明図である。
【図２】第一実施形態に係る段ボール箱の斜視図である。
【図３】第一実施形態に係る段ボール箱の開封中の斜視図である。
【図４】第一実施形態に係る段ボール箱の開封後の斜視図である。
【図５】別実施形態に係る段ボール箱の斜視図である。
【図６】別実施形態に係る段ボール箱の斜視図である。
【図７】別実施形態に係る段ボール箱を構成するボックスブランクの説明図である。
【図８】別実施形態に係る段ボール箱を構成するボックスブランクの要部の説明図である。
【図９】別実施形態に係る段ボール箱の斜視図である。
【図１０】別実施形態に係る段ボール箱を構成するボックスブランクの要部の説明図である。
【発明を実施するための形態】
【００３７】
以下、本発明の実施形態を図面に基づいて説明する。図１には、図２に示された本発明に係る段ボール箱１を組み立てることができるボックスブランク１０が示されている。図１においては、ボックスブランク１０は、図２に示された段ボール箱１を組み立てたときに内面となる面が示されている。図１に示されたボックスブランク１０の面の裏面に段ボール箱１に梱包される対象物の商標や宣伝、対象物管理や物流管理のためのバーコードなどが印刷されている。なお、図４を除き梱包される対象物は図示が省略されている。
【００３８】
ボックスブランク１０は、表ライナと裏ライナとの間に波形に成形された中芯を挟んで構成される段ボールシート１１から構成され、図２に示された段ボール箱１の天面２を構成する天面部１２、前面３を構成する前面部１３、底面４を構成する底面部１４及び後面５を構成する後面部１５が各間に罫線を介してこの順に備えられている。また、後面部１５に、天面部１２と後面部１５とを接合する継ぎ代１６が罫線を介して備えられている。なお、継ぎ代１６は、後面部１５側ではなく、天面部１２側に備えられていてもよい。なお、前や後の文言は、図２の左下側から段ボール箱１を見たときの手前側と奥側とを区別するための表現にすぎない。本実施形態における前面３及び後面５が、本発明に係る一対の長側面である。したがって、本明細書においては前面や後面は、それぞれ長側面と読み替えることができる。
【００３９】
さらに、天面部１２の側縁に罫線を介して一対の上方外フラップ１７，１７が備えられ、前面部１３の側縁に罫線を介して一対の前方内フラップ１８，１８が備えられ、底面部１４の側縁に罫線を介して一対の下方外フラップ１９，１９が備えられ、後面部１５の側縁に罫線を介して一対の後方内フラップ２０，２０が備えられている。前方内フラップ１８，１８及び後方内フラップ２０，２０が、本発明に係る内フラップである。
【００４０】
上述のように構成された、ボックスブランク１０の底面部１４の上に対象物を配置し、前面部１３、後面部１５を立ち上げ、天面部１２と後面部１５とを継ぎ代１６において、たとえば接着剤によって接合することによって、天面２、前面３、底面４及び後面５が構成される。そして、上方外フラップ１７と、前方内フラップ１８や後方内フラップ２０との重なる面、及び、下方外フラップ１９と、前方内フラップ１８や後方内フラップ２０との重なる面を、たとえば接着剤によって接合することによって、段ボール箱１の一対の短側面６が構成され、図２に示された段ボール箱１が組み立てられる。
【００４１】
段ボール箱１はいわゆるショートフラップであり、したがって上方外フラップ１７の下縁と下方外フラップ１９の上縁とが離間しており、前方内フラップ１８の後縁と後方内フラップ２０の前縁とが離間していることから、段ボール箱１の短側面６の中央には開口７が形成される。段ボール箱１は、これに梱包される対象物を、この開口７を介して容易に確認することができる形状をしている。さらに、上方外フラップ１７の前後方向中央の、前方内フラップ１８及び後方内フラップ２０が存在しない箇所に、段ボール箱１を搬送するための取手部８を設けることも容易に可能となる。
【００４２】
段ボール箱１の寸法は、梱包される対象物の大きさ、重量、個数に応じて決定される。本実施形態においては、対象物は、５２５ｍｌのＰＥＴボトル入り飲料Ｐであり、段ボール箱１には２４本が梱包される（図４参照）。
【００４３】
本実施形態における段ボール箱１は、内寸法が幅４０２ｍｍ、奥行き２６８ｍｍ、高さ２２４ｍｍであり、外寸法が幅４１４ｍｍ、奥行き２７４ｍｍ、高さ２３０ｍｍである。使用する段ボールシート１１は、たとえばＢ段の両面段ボールであり、表ライナ／中芯／裏ライナは、白Ｃ２１０／強化１２０／Ｋ１７０である。ただし、段ボールシート１１の構成については上記のものに限定されず、他の構成であってもよい。
【００４４】
図１に示すように、ボックスブランク１０は、天面部１２に天面破断線２１が備えられ、前面部１３に前面破断線２２が備えられ、後面部１５に後面破断線２３が備えられ、上方外フラップ１７に上方外フラップ破断線２４が備えられ、前方内フラップ１８に前方内フラップ破断線２５が備えられ、後方内フラップ２０に後方内フラップ破断線２６が備えられている。上方外フラップ１７の中央には、取手部８を形成するための取手破断線２７が備えられている。
【００４５】
段ボール箱１の天面２に、天面２を横断するように天面破断線２１が備えられている。天面破断線２１は、天面部１２を概して斜めに横断するように配置されている。その際、天面破断線２１は、この天面破断線２１によって二分された天面部１２の面積が等しくなる位置に備えられている。本実施形態においては、天面破断線２１は天面部１２の中心線に対して約２０度傾斜している。なお、天面部１２の中央には、天面破断線２１を跨ぐように指入部９を形成するための指入破断線２８が備えられている。
【００４６】
段ボール箱１の前面３に、前面３を横断するように前面破断線２２が備えられている。前面破断線２２は、前面部１３のうち中央よりも底面部１４側に寄った位置、好ましくは段ボール箱１を組み立てたときに、高さ方向中央以下かつ下方外フラップ１９の上縁と同じ高さ以上の位置を概して水平に横断するように配置され、その両端部において天面部１２側へ傾斜している。したがって、前面破断線２２が、本発明に係る、長側面に該長側面を横断するように備えられた、長側面破断線である。
【００４７】
段ボール箱１の後面５に、後面５を横断するように後面破断線２３が備えられている。後面破断線２３は、後面部１５のうち中央よりも底面部１４側に寄った位置、好ましくは段ボール箱１を組み立てたときに、高さ方向中央以下かつ下方外フラップ１９の上縁と同じ高さ以上の位置を概して水平に横断するように配置され、その両端部において継ぎ代１６側へ傾斜している。したがって、後面破断線２３も、本発明に係る、長側面に該長側面を横断するように備えられた、長側面破断線である。
【００４８】
上方外フラップ破断線２４は、上端が天面破断線２１に連なり、下端が上方外フラップ１７の中心線に対して約１０度、前方内フラップ１８側又は後方内フラップ２０側へ傾斜するように上方外フラップ１７に配置されている。
【００４９】
段ボール箱１の上方外フラップ１７に、上方外フラップ１７を縦断するように上方外フラップ破断線２４が備えられている。上方外フラップ破断線２４は、一方の上方外フラップ１７において、その終端が前方内フラップ１８の後縁と重なる位置に備えられ、他方の上方外フラップ１７において、その終端が、後方内フラップ２０の前縁と重なる位置に備えられている。
【００５０】
段ボール箱１の前方内フラップ１８に、前方内フラップ１８を横断するように前方内フラップ破断線２５及び切欠き２９が備えられている。前方内フラップ破断線２５は、一端が前面破断線２２に連なり、他端が前方内フラップ１８の側縁において、段ボール箱１を組み立てたときに下方外フラップ１９の上縁と重なる位置の近傍、好ましくは同じ高さに形成された切欠き２９に連なるように斜めに配置されている。この切欠き２９が、前方内フラップ破断線２５に備えられた前方破断誘導端を構成する。前方内フラップ破断線２５は、開封性を向上させるために、切欠き２９からまず下へ走り、その後約５０度の角度をもって上に走り、前面破断線２２へ合流する。
【００５１】
段ボール箱１の後方内フラップ２０に、後方内フラップ２０を横断するように後方内フラップ破断線２６及び切欠き３０が備えられている。後方内フラップ破断線２６は、一端が後面破断線２３に連なり、他端が後方内フラップ２０の側縁において、段ボール箱１を組み立てたときに下方外フラップ１９の上縁と重なる位置の近傍、好ましくは同じ高さに形成された切欠き３０に連なるように斜めに配置されている。この切欠き３０が、後方内フラップ破断線２６に備えられた後方破断誘導端を構成する。後方内フラップ破断線２６は、開封性を向上させるために、切欠き３０からまず下へ走り、その後約５０度の角度をもって上に走り、後面破断線２３へ合流する。
【００５２】
したがって、前面破断線２２、前方内フラップ破断線２５及び切欠き２９と、後面破断線２３、後方内フラップ破断線２６及び切欠き３０とは、それぞれ底面部１４に対して対称となる位置に備えられる。
【００５３】
天面破断線２１は、段ボールシート１１の表裏を貫通する長さ８ｍｍの全切り線が８ｍｍピッチで連続した主線部と、各全切り線に破断を誘導する二本の誘導線部とが備えられた、Ｙ字状の切れ込みから構成されている。両誘導線部のうち、一方は主線部を構成する全切り線に連続した長さ５ｍｍ程度の全切り線であり、他方は１ｍｍ程度離間した長さ５ｍｍ程度の全切り線であり、両誘導線部は、主線部を構成する全切り線に対してそれぞれ２０度の傾きをもつ。なお、全切り線とは、段ボールシート１１を構成する表ライナ、中芯、及び裏ライナが切断された切込線である。
【００５４】
前面破断線２２及び後面破断線２３は、段ボールシート１１の表裏を貫通する長さ１０ｍｍの全切り線が７ｍｍピッチで連続した、いわゆるミシン目状の切れ込みと、それらの両端部に備えられた１０−２５ｍｍの全切り線と、前記全切り線から天面部１２側へ傾斜した全切り線とから構成されている。前面破断線２２及び後面破断線２３の主線部を上述のように構成することによって、該主線部が、たとえば、長さ３ｍｍの全切り線が５ｍｍピッチで連続したミシン目状の切れ込みから構成される場合よりも、段ボール箱１としての強度が向上する。
【００５５】
上方外フラップ破断線２４は、段ボールシート１１の表裏を貫通する長さ８ｍｍの全切り線が８ｍｍピッチで連続した主線部と、各全切り線に破断を誘導する誘導線部とが備えられた、くの字状の切れ込みから構成されている。該誘導線部は、該主線部を構成する全切り線に連続した、半径１０ｍｍで、長さ６ｍｍ程度の円弧状の全切り線である。上方外フラップ破断線２４は、その終端が上方外フラップ１７の側縁まで至っておらず、前記下端は該主線部を構成する全切り線に対して１０度の傾きをもち、かつ、該側縁から１５ｍｍ離間した箇所で終了している。なお、上方外フラップ破断線２４は、その終端が上方外フラップ１７の側縁まで至るように備えられてもよい。
【００５６】
前方内フラップ破断線２５及び後方内フラップ破断線２６は、段ボールシート１１の表裏を貫通する長さ５ｍｍの全切り線が７ｍｍピッチで連続した主線部と、各全切り線に破断を誘導する誘導線とが備えられた、くの字状の切れ込みから構成されている。該誘導線部は、該主線部を構成する全切り線に連続した、半径５ｍｍで、長さ３ｍｍ程度の円弧状の全切り線である。
【００５７】
切欠き２９，３０は、側縁に対して幅１５ｍｍ程度、深さ２０ｍｍ程度のくさび形状をしている。
【００５８】
取手破断線２７は、適当なミシン目状の切り込みによって、幅７０ｍｍ程度、高さ３０ｍｍ程度の開口を形成可能に構成されている。
【００５９】
指入破断線２８は、適当なミシン目状の切り込みによって、長さ７５ｍｍ程度、幅４０ｍｍ程度の指入部９を形成可能に構成されている。指入部９が小さいと、両手の指先を挿し入れることが困難であるが、指入部９が長さ７５ｍｍ程度、幅４０ｍｍ程度の大きさを有していれば、両手の指先をしっかりと挿し入れることができる。これにより、天面２をしっかり掴み、段ボール箱１を開封することができる。
【００６０】
これら各破断線を構成する切れ込みの長さやピッチは、本実施形態における段ボールシート１１の場合に好適なものであって、段ボールシート１１の構成に応じ、段ボール箱１としての強度を十分に保持しながらも、開封の際に良好に破断できるように適宜設定される。
【００６１】
図１に示されるボックスブランク１０から、図２に示す段ボール箱１が組み立てられる。段ボール箱１は、ＰＥＴボトル入り飲料Ｐを梱包した状態で、メーカーから出荷され、酒屋やスーパーマーケット等に配送される。そして、酒屋やスーパーマーケット等の店頭で陳列される。
【００６２】
そして、この段ボール箱１を開封する際には、まず、指入部９に両手の指先を指入破断線２８を破断しながら挿し入れて天面２を掴み、天面破断線２１を破断させることにより天面２を前後に切り開き、次いで天面破断線２１に連なる上方外フラップ破断線２４を破断させることにより、上方外フラップ１７を前後に切り開くことができる。
【００６３】
天面破断線２１と上方外フラップ破断線２４とは、天面部１２と上方外フラップ１７との罫線において切込線の一例である全切り線によって連ねられており、つまり、天面破断線２１及び上方外フラップ破断線２４は、天面２と上方外フラップ１７との稜において段ボールシート１１を貫通していることから、天面破断線２１の破断が上方外フラップ破断線２４の破断へと円滑に案内される。
【００６４】
前方内フラップ破断線２５と、後方内フラップ破断線２６とが、前方内フラップ１８及び後方内フラップ２０と下方外フラップ１９とを接合した箇所に近い位置に配置されていることから、これらが前記箇所から遠い位置に配置された場合に比べて、天面２を前後に切り開く動作により、接合を剥離させる虞が低減される。
【００６５】
また、天面２は、天面破断線２１により前後に二分される際に、天面２を一方と他方とに破断する力が前後において均等にかかり、両方がきれいに破断される。いずれかのみが破断される虞が低減される。
【００６６】
図３に示すように、前方内フラップ破断線２５は、天面２及び上方外フラップ１７を前後に切り開くときの動作によって、前方破断誘導端である切欠き２９を起点として破断が開始され、前面破断線２２と前方内フラップ破断線２５とが破断され、上下に切り開かれる。
【００６７】
同様に、後方内フラップ破断線２６は、天面２及び上方外フラップ１７を前後に切り開くときの動作によって、後方破断誘導端である切欠き３０を起点として破断が開始され、後面破断線２３と後方内フラップ破断線２６とが破断され、上下に切り開かれる。
【００６８】
切欠き２９及び切欠き３０の存在によって、前方内フラップ破断線２５及び後方内フラップ破断線２６を弱い力であっても容易に破断させ始めることができる。したがって、前方内フラップ１８及び後方内フラップ２０と下方外フラップ１９との接合が剥離してしまう虞が低減される。
【００６９】
そして、前方内フラップ破断線２５及び後方内フラップ破断線２６にそれぞれ連なる前面破断線２２及び後面破断線２３が破断され、前面３及び後面５が上下に切り開かれる。
【００７０】
このように、各破断線２１−２６において、断続的に形成された切れ込み間の段ボールシート１１が次々と破断されることにより、前面破断線２２、後面破断線２３、前方内フラップ破断線２５及び後方内フラップ破断線２６の上方を取り外すことができ、図４に示すように、残った部分がそのまま対象物、すなわちＰＥＴボトル入り飲料Ｐの陳列販売用のトレイ３４となる。
【００７１】
前面破断線２２と、前方内フラップ破断線２５とは、前面３と前方内フラップ１８との稜において、下方外フラップ１９の上縁よりも高い位置、好ましくは段ボール箱１の高さ方向中央付近において連なっており、同様に、後面破断線２３と、後方内フラップ破断線２６とは、後面５と後方内フラップ２０との稜において、下方外フラップ１９の上縁よりも高い位置、好ましくは段ボール箱１の高さ方向中央付近において連なっていることから、より容易に破断できる。
【００７２】
上述した実施形態では、天面２に備えられた天面破断線２１が、天面２を概して斜めに横断するように配置されている場合について説明した。しかし、天面破断線２１は、上述の構成に限らない。図５や図６に示すような構成であってもよい。図５及び図６において、図１−４に示した実施形態における構成と対応する構成に同一の符号を付す。
【００７３】
たとえば図５に示すように、天面破断線２１は天面２の前後方向中央を横断するように、すなわち、天面２と前面３との稜と平行に備えられていてもよい。このとき、上方外フラップ破断線２４は、両短側面６において前方内フラップ１８の後縁と後方内フラップ２０の前縁との中間に備えられることとなる。破断する長さ、力の伝わり方、力のかかり方の違いによって、天面破断線２１が、天面２に斜めに配置されている場合に比べて、容易に破断させることができる。
【００７４】
また、天面破断線２１は、この天面破断線２１によって二分された天面２の面積が等しくなる位置に備えられていなくてもよい。たとえば図６に示すように、天面破断線２１は、天面部１２の中心から上方外フラップ１７に至るにつれて、たとえば、後面５側へと傾斜し、両方の上方外フラップ１７において、その終端が後方内フラップ２０の前縁と重なる位置に備えられている上方外フラップ破断線２４に連なっていてもよい。
【００７５】
つまり、天面破断線２１は、天面２を横断するように備えられていればよく、これに伴って、上方外フラップ破断線２４は、少なくともその終端が、短側面６において前方内フラップ１８と後方内フラップ２０とが向かい合う縁と重なる位置どうしの間に備えられていればよい。
【００７６】
上述したいずれの実施形態においても、天面２と上方外フラップ１７との稜において、天面破断線２１及び上方外フラップ破断線２４を連ねる切込線は全切り線から構成されていたが、これに限らない。切込線は、たとえば、半切り線やライナーカットであってもよい。なお、半切り線とは、段ボールシート１１を構成する裏ライナと、中芯の少なくとも裏ライナ側とは切断されるが表ライナは切断されていない切込線である。また、ライナーカットとは、段ボールシート１１を構成する裏ライナは切断されるが、中芯及び表ライナは切断されていない、いわゆるライナーカットであってもよい。
【００７７】
切込線が半切り線やライナーカットである場合は、図７に示すようにボックスブランク１０の裏面視において、図中Ａ部のように、天面部１２と上方外フラップ１７との罫線にその存在を視認することができる。しかし、図８に示すようにボックスブランク１０の表面視において、図中Ａ部のように、天面部１２と上方外フラップ１７との罫線にその存在を視認することができない。したがって、図９に示すように段ボール箱１の外観視において、天面２と上方外フラップ１７との稜に切込線の存在を視認することができない。
【００７８】
なお、切込線は、天面部１２と上方外フラップ１７との罫線において、必ずしも図７に示すように、天面２における部分が天面破断線２１の配置方向に沿い、上方外フラップ１７における部分が上方外フラップ破断線２４に沿うように備えられていなくてもよい。たとえば、図１０に示すように、切込線は、天面部１２と上方外フラップ１７との罫線において、天面破断線２１の配置方向や上方外フラップ破断線２４の配置方向に角度をもって配置されていてもよい。
【００７９】
上述したいずれの実施形態においても、前方内フラップ破断線２５及び後方内フラップ破断線２６に、切欠き２９，３０が備えられていたが、これら切欠き２９，３０は備えられていなくてもよい。また、前方内フラップ破断線２５及び後方内フラップ破断線２６は必ずしも備えられていなくてもよい。
【００８０】
上述した実施形態は、いずれも本発明の一例であり、当該記載により本発明が限定されるものではなく、各部の具体的構成は本発明の作用効果が奏される範囲において適宜変更設計可能である。
【符号の説明】
【００８１】
１        ：段ボール箱
２        ：天面
３        ：前面（長側面）
４        ：底面
５        ：後面（長側面）
６        ：短側面
１１      ：段ボールシート
１７      ：上方外フラップ
１８      ：前方内フラップ（内フラップ）
１９      ：下方外フラップ
２０      ：後方内フラップ（内フラップ）
２１      ：天面破断線
２２      ：前面破断線
２３      ：後面破断線
２４      ：上方外フラップ破断線
２５      ：前方内フラップ破断線
２６      ：後方内フラップ破断線
２９      ：切欠き（前方破断誘導端）
３０      ：切欠き（後方破断誘導端）
【図１】
2018177373.tif 000003
【図２】
2018177373.tif 000004
【図３】
2018177373.tif 000005
【図４】
2018177373.tif 000006
【図５】
2018177373.tif 000007
【図６】
2018177373.tif 000008
【図７】
2018177373.tif 000009
【図８】
2018177373.tif 000010
【図９】
2018177373.tif 000011
【図１０】
2018177373.tif 000012